(57)【要約】【課題】置き場所に対して姿勢を安定させることの可能な打込機を提供する。【解決手段】釘４０が収容されるマガジン３８と、マガジン３８が取り付けられる射出部１３と、ハウジング１１内に設けられ、かつ、マガジン３８から供給される釘４０を打撃する打撃子６４と、を有する打込機１０であって、マガジン３８は、置き場所に接触する２つの膨らみ部５４，５７を有する。【選択図】図１
2017213632.tif 000002
【特許請求の範囲】
【請求項１】
止具が収容されるマガジンと、前記マガジンが取り付けられる本体部と、前記本体部に設けられ、かつ、前記マガジンから供給される前記止具を打撃する打撃機構と、を有する打込機であって、
前記マガジンは、置き場所に接触する第１接地部及び第２接地部を有する、打込機。
【請求項２】
前記本体部は、置き場所に接触する第３接地部を有する、請求項１記載の打込機。
【請求項３】
前記マガジンは、前記本体部から直線状に突出している、請求項２記載の打込機。
【請求項４】
前記マガジンは、
前記止具同士を連結した状態で配置するガイド部と、
前記ガイド部における前記本体部とは反対側の端部を覆うカバーと、
を有し、
前記第１接地部及び前記第２接地部は、前記カバーに設けられている、請求項３記載の打込機。
【請求項５】
前記打撃機構は、予め定められた方向に動作する打撃子を備え、
前記打撃子が動作する方向に対して垂直な平面視で、前記第１接地部、前記第２接地部及び前記第３接地部は、前記マガジンの幅方向の中心線から外れた位置に配置されている、請求項３または４記載の打込機。
【請求項６】
前記カバーに被検出部が設けられ、
前記本体部の外に設けた認識システムにより前記被検出部を認識可能である、請求項４記載の打込機。
【発明の詳細な説明】
【技術分野】
【０００１】
本発明は、マガジンから供給される止具を打撃機構で打撃し、止具を被打込材へ打ち込む打込機に関する。
【背景技術】
【０００２】
マガジンから供給される止具を打撃機構で打撃し、止具を被打込材に打ち込む打込機は建築現場等で用いられている。その打込機が特許文献１に記載されている。特許文献１に記載された打込機は、フレームと、フレームの一方に位置するハンドルと、フレームの下端に位置するノーズと、ノーズに設けた射出路と、を有する。打込機は、フレーム内に形成した蓄圧室と、フレーム内に設けた円筒状のシリンダと、シリンダ内に移動可能に設けたピストンと、ピストンに固定されたドライバブレードと、を有する。ピストン及びドライバブレードは打撃機構である。
【０００３】
トリガ及びトリガバルブがハンドルに設けられ、プッシュレバーが射出部に設けられている。トリガバルブは、トリガが操作され、かつ、プッシュレバーが被打込材に押し付けられると、蓄圧室に圧縮空気を供給する。
【０００４】
止具を収容するマガジンがノーズに取り付けられ、マガジンはフィーダを有する。マガジンは、アルミニウム、マグネシウム等の柔らかい非鉄金属により、その外殻が止具を覆う様な形状に押出成形されている。フィーダは、マガジンに収容された止具を射出路に供給する。
【０００５】
特許文献１に記載された打込機は、トリガが操作され、かつ、プッシュレバーが被打込材に押し付けられると、蓄圧室の空気圧でピストン及びドライバブレードが動作し、ドライバブレードが射出路の止具を打撃する。
【先行技術文献】
【特許文献】
【０００６】
【特許文献１】特開２００５−２７９７９４号公報
【発明の概要】
【発明が解決しようとする課題】
【０００７】
作業者が打込機を使用しない場合は作業場所の床面等に置く。しかし、打込機の置き場所が平坦であるとは限らず、置き場所に対して打込機の姿勢が安定せず、置きにくい場合があり、作業者の利便性が損なわれる場合があった。
【０００８】
本発明の目的は、作業者の利便性向上のため、置き場所に対して打込機の姿勢をより安定させることの可能な打込機を提供することにある。
【課題を解決するための手段】
【０００９】
一実施形態の打込機は、止具が収容されるマガジンと、前記マガジンが取り付けられる本体部と、前記本体部に設けられ、かつ、前記マガジンから供給される前記止具を打撃する打撃機構と、を有する打込機であって、前記マガジンは、置き場所に接触する第１接地部及び第２接地部を有する。
【発明の効果】
【００１０】
一実施形態の打込機は、置き場所に対して姿勢を安定させることができる。
【図面の簡単な説明】
【００１１】
【図１】打込機を側面視した断面図である。
【図２】打込機を平面視した外観図である。
【図３】（Ａ），（Ｂ）は、マガジンに取り付けるマガジンカバーを示す図である。
【発明を実施するための形態】
【００１２】
以下、本発明の一実施の形態について、図面を用いて詳細に説明する。図１に示す打込機１０は、中空のハウジング１１と、ハウジング１１の開口部を閉じたヘッドカバー５８と、ハウジング１１に連続するハンドル１２と、ハウジング１１に取り付けられた射出部１３と、を有する。ハウジング１１、ヘッドカバー５８、ハンドル１２及び射出部１３は金属製である。ヘッドカバー５８はねじ部材６０によりハウジング１１に固定され、射出部１３は、ねじ部材６１によりハウジング１１に固定されている。ハウジング１１、ヘッドカバー５８及びハンドル１２は、本体部５９を構成する。本体部５９は打込機１０の外殻部品であり、本体部５９は打撃機構を収容する。
【００１３】
ヘッドカバー５８内に蓄圧室１４が形成されている。また、図２のように、ハンドル１２の端部にプラグ１５が設けられており、プラグ１５にエアホース１６が接続される。エアホース１６はコンプレッサに接続される。図１のように、ハンドル１２の外面から突出したマウント部１７が設けられている。
【００１４】
ハウジング１１とハンドル１２との接続箇所に、トリガバルブ１８と、トリガバルブ１８を開閉するトリガ１９と、が設けられている。また、シリンダ２０がハウジング１１内に設けられ、シリンダ２０内にピストン２５が設けられている。ピストン２５はシリンダ２０の中心線Ａ１方向に移動可能であり、ピストン２５にドライバブレード２６が固定されている。ピストン２５及びドライバブレード２６は打撃子６４を構成している。
【００１５】
メインバルブ室２１、メインバルブ室２２、メインバルブ２３及びバンパ２４が、ヘッドカバー５８内に設けられている。メインバルブ２３は、中心線Ａ１方向に移動可能である。ヘッドカバー５８内に弾性部材６２が配置され、弾性部材６２はメインバルブ２３を付勢する。弾性部材６２は金属製の圧縮バネである。メインバルブ２３は、蓄圧室１４と本体部５９の外部とを接続及び遮断する。トリガバルブ１８は、メインバルブ室２１を、蓄圧室１４または本体部５９の外部に接続する。メインバルブ室２２は、常時、蓄圧室１４に接続されている。
【００１６】
シリンダ２０内において、ピストン２５とバンパ２４との間に上室２７が形成されている。ハウジング１１内で射出部１３に最も近い箇所に、バンパ２８が設けられている。バンパ２８はゴム状弾性体により一体成形されている。バンパ２８は、ガイド孔２９を有する筒形状であり、ドライバブレード２６は、ガイド孔２９内で中心線Ａ１方向に移動可能である。シリンダ２０内において、ピストン２５とバンパ２８との間に下室３０が形成されている。
【００１７】
ハウジング１１内であってシリンダ２０の径方向の外側に、戻し蓄圧室３１が形成されている。また、シリンダ２０を径方向に貫通する空気流出孔３２及び戻し通路３３が設けられている。さらに、シリンダ２０に逆止弁３４が取り付けられている。逆止弁３４は、空気流出孔３２を開閉する。逆止弁３４が空気流出孔３２を開くと、シリンダ２０内の圧縮空気は、空気流出孔３２を通って戻し蓄圧室３１へ流出する。逆止弁３４が空気流出孔３２を閉じると、戻し蓄圧室３１の圧縮空気は、空気流出孔３２を通ってシリンダ２０内へ流入することができない。戻し通路３３は、下室３０と戻し蓄圧室３１とをつなぐ。
【００１８】
射出部１３は、射出路１３Ａと、射出路１３Ａとバンパ２８との間に位置する隔壁３５と、を有する。隔壁３５を貫通する支持孔３６が設けられている。射出路１３Ａは支持孔３６につながっている。ドライバブレード２６は、射出路１３Ａ及び支持孔３６内で中心線Ａ１方向に移動可能である。
【００１９】
射出部１３にプッシュレバー３７が取り付けられている。プッシュレバー３７は、射出部１３に対して中心線Ａ１方向に移動可能である。プッシュレバー３７が射出部１３に対して中心線Ａ１方向に移動可能な範囲は、規制部材により規制されている。また、プッシュレバー３７をバンパ２８から離れる向きに付勢する弾性部材６３が設けられている。弾性部材６３は、金属製の圧縮バネである。
【００２０】
マガジン３８がハンドル１２及び射出部１３に対して取り付けられている。マガジン３８は、強度を要する部品であるため、金属、例えばアルミニウにより長尺形状に構成されている。マガジン３８は、長手方向に沿ってガイド溝３９を有する。複数の釘４０が互いに連結された状態でガイド溝３９に収容される。釘４０同士を連結する連結要素は、紙、プラスチック、接着剤、針金を含む。
【００２１】
マガジン３８の長手方向の第１端部は、射出部１３の開口部に取り付けられている。マガジン３８の長手方向の中途部位にブラケット４１が設けられている。ブラケット４１は、ねじ部材４２によりマガジン３８に固定され、ブラケット４１は、ねじ部材４３によりマウント部１７に固定されている。つまり、マガジン３８は、射出部１３及びハンドル１２により支持されている。
【００２２】
マガジン３８はフィーダ４４及び巻ばね４５を有する。フィーダ４４は、マガジン３８の長手方向に移動可能である。マガジン３８に収容された釘４０は、巻ばね４５の付勢力で１本ずつ射出路１３Ａに送られる。
【００２３】
マガジンカバー４６は、マガジン３８の長手方向であって、射出部１３とは反対側の第２端部に取り付けられている。マガジンカバー４６は、好適には合成樹脂製である。合成樹脂は、熱可塑性樹脂及び熱硬化性樹脂を含む。熱可塑性樹脂は、プラスチックとも呼ばれる。マガジンカバー４６は、マガジン３８の第２端部を覆う要素であり、マガジンカバー４６は、図３（Ｂ）のように、差し込み部４７とエンド部４８とを有する。差し込み部４７は、マガジン３８に差し込まれ、ボルト４９によりマガジンカバー４６がマガジン３８に固定されている。図３（Ａ）のように、エンド部４８に釘４０を挿入する挿入孔５０が設けられている。
【００２４】
次に、打込機１０の使用例を説明する。トリガ１９に操作力が加えられず、かつ、プッシュレバー３７が被打込材Ｗ１から離されていると、メインバルブ室２１は、蓄圧室１４につながり、かつ、本体部５９の外部から遮断されている。メインバルブ室２２は、蓄圧室１４につながっている。メインバルブ室２１，２２の圧力はメインバルブ２３に加わり、弾性部材６２の力もメインバルブ２３に加わる。弾性部材６２の力は、メインバルブ室２１からメインバルブ２３に加わる力の向きと同じである。
【００２５】
弾性部材６２の力で付勢されるメインバルブ２３は、シリンダ２０の端部に押し付けられている。つまり、上室２７は、メインバルブ２３によって蓄圧室１４から遮断され、本体部５９の外部につながっている。このため、下室３０の圧力でピストン２５がバンパ２４に向けて押され、ピストン２５はバンパ２４に接触して上死点で停止している。
【００２６】
作業者がトリガ１９に操作力を加え、かつ、プッシュレバー３７が被打込材Ｗ１に押し付けられると、トリガバルブ１８は、メインバルブ室２１と蓄圧室１４とを遮断し、かつ、メインバルブ室２１と本体部５９の外とを連通する。すると、メインバルブ２３はメインバルブ室２２の圧力でシリンダ２０の端部から離れ、蓄圧室１４と上室２７とが接続され、ピストン２５は上室２７の空気圧でバンパ２８に向けて移動する。
【００２７】
ピストン２５が空気流出孔３２とバンパ２４との間を移動する間、下室３０で圧縮された空気は、戻し通路３３を通って戻し蓄圧室３１へ充填される。また、逆止弁３４は閉じられている。このため、戻し蓄圧室３１の空気が、空気流出孔３２を通ってシリンダ２０内へ流れることはない。さらに、ピストン２５が下降すると、ドライバブレード２６は、射出路１３Ａにある釘４０を打撃する。打撃された釘４０は被打込材Ｗ１へ打ち込まれる。
【００２８】
ピストン２５が、空気流出孔３２とバンパ２８との間へ移動すると、逆止弁３４は上室２７の圧力で空気流出孔３２を開く。このため、上室２７内の空気は、空気流出孔３２を通り戻し蓄圧室３１に充填される。さらに、ピストン２５がバンパ２８に衝突し、ピストン２５の運動エネルギが吸収される。ピストン２５は、バンパ２８に押し付けられた位置、つまり下死点で停止する。
【００２９】
さらに、トリガ１９の操作力が解除され、かつ、プッシュレバー３７が被打込材Ｗ１から離されると、メインバルブ室２１は、蓄圧室１４に接続され、かつ、本体部５９の外部から遮断される。また、上室２７の圧縮空気はハウジング１１の外へ排出される。このため、ピストン２５は下室３０の空気圧で下死点から上死点へ向けて移動し、ピストン２５はバンパ２４に押し付けられた位置、つまり、上死点で停止する。
【００３０】
次に、打込機１０の外観形状及び外観構造を説明する。図１のように打込機１０を側面視すると、ハンドル１２は中心線Ａ２方向でバンパ２４とバンパ２８との間に配置されている。また、打込機１０を側面視すると、ハンドル１２の中心線Ａ２は、シリンダ２０の中心線Ａ１に対して直角に配置されている。打込機１０を側面視すると、マガジン３８の中心線Ａ３は、マガジン３８の幅方向の中心であり、中心線Ａ３は、ハンドル１２の中心線Ａ２に対して交差している。
【００３１】
図２のように打込機１０を平面視すると、中心線Ａ２と中心線Ａ３とは、互いに交差して配置されている。打込機１０の平面視は、中心線Ａ１に対して垂直な平面視である。中心線Ａ２は中心線Ａ１を通る。なお、打込機１０の平面視で、中心線Ａ１は中心線Ａ３と重なっていてもよいし、外れていてもよい。打込機１０の平面視で、マガジン３８がハウジング１１の外面から直線状に突出した量は、ハンドル１２がハウジング１１の外面から突出した量よりも大きい。
【００３２】
図２に示すように、ハウジング１１の外周面の一部にリブ５１が設けられている。打込機１０を平面視すると、中心線Ａ２を隔てて配置された２箇所の外面５２，５３のうち、一方の外面５３にリブ５１が設けられている。図１のように打込機１０を側面視すると、中心線Ａ１方向で、空気流出孔３２とバンパ２８との間にリブ５１が配置されている。図１のように打込機１０を側面視すると、リブ５１が配置されている位置は、中心線Ａ２とバンパ２８との間である。
【００３３】
さらに、マガジンカバー４６のエンド部４８に、２つの膨らみ部５４，５７が設けられている。２つの膨らみ部５４，５７は、それぞれ凸部として把握可能である。２つの膨らみ部５４，５７は、エンド部４８の外面４８Ａから突出している。打込機１０の平面視で、２つの膨らみ部５４，５７がエンド部４８の外面４８Ａから突出した向きは、中心線Ａ３に対して直角な方向である。打込機１０を側面視した図１において、２つの膨らみ部５４，５７は中心線Ａ１方向に間隔をおいて配置されている。打込機１０を側面視すると、リブ５１は、中心線Ａ１方向で膨らみ部５４と膨らみ部５７との間に配置されている。そして、打込機１０を平面視した図２において、２つの膨らみ部５４、５７の先端及びリブ５１の先端に接する直線Ａ４と、ハンドル１２の中心線Ａ２との間に、マガジン３８の中心線Ａ３が配置されている。
【００３４】
打込機１０を平面視した図２において、フィーダ４４は、直線Ａ４と中心線Ａ３との間に位置する。これは、マガジン３８の長手方向におけるフィーダ４４の位置に関わりなく達成される。
【００３５】
さらに、マガジンカバー４６のエンド部４８の内面に被検出部５５が取り付けられている。被検出部５５は、バーコードが付されたラベル、無線式の識別片（ＲＦＩＣ：Radio frequency identification）を含む。被検出部５５は、電波式、磁気式、音響磁気式を含む。電波式は、ラジオ波を使用した共振回路であり、磁気式は、特殊磁性体の高周波を利用し、音響磁気式は、金属片の共振を利用する。被検出部５５は、打込機１０の型式、固有の管理番号等の情報を有し、打込機１０の盗難防止、保管場所の監視等に用いられる。被検出部５５は、鉄、非鉄等の金属に接触していると、認識システムで認識できない、という制約条件がある。そこで、被検出部５５は、プラスチック製のマガジンカバー４６に接着剤等で固定されている。
【００３６】
そして、撮像カメラ、読み取り部等の認識システムにより、打込機１０から離れた位置から、被検出部５５を認識可能である。つまり、被検出部５５は、認識システムにより光電的に認識可能であればよい。
【００３７】
作業者が打込機１０を建築現場等で床等に横置きする場合、ハウジング１１の一部及びマガジン３８の一部が床に接触する。打込機１０の横置きとは、中心線Ａ１が床面に対して略平行となる状態で、床に置くことを意味する。例えば、図２のように、リブ５１及び２つの膨らみ部５４，５７が床５６に接触した状態で、打込機１０は床５６で支持される。また、ハンドル１２は床５６から離れている。つまり、打込機１０は、リブ５１及び２つの膨らみ部５４，５７という３点で支持される。
【００３８】
このため、床５６に対して打込機１０が接触する箇所において、単位面積あたりの接触圧力が高くなる。したがって、打込機１０は床５６に対して姿勢が安定する。すなわち、打込機１０が床５６に対して滑ること、または、打込機１０が床５６に対してシーソー状に揺動すること、を抑制できる。
【００３９】
マガジンカバー４６は、好適には合成樹脂で形成される。マガジンカバー４６は、金属製のマガジン３８よりも強度、剛性が低い材料であることが好ましい。つまり、マガジンカバー４６は、建築資材等の相手材と接触した際に、相手材を傷つけ難い材料であることが好ましい。マガジンカバー４６は、金属製のマガジン３８の第２端部が、建築資材、または、作業者の衣服等に接触することを防ぐ役割を有する。また、マガジンカバー４６は、床５６に対する打込機１０の姿勢を安定させる役割を兼ねる。さらに、マガジンカバー４６は、金属に接触すると作動しない被検出部５５を支持する役割を兼ねる。
【００４０】
このため、床５６に対する打込機１０の姿勢を安定させるために、専用の要素を設けずに済む。また、金属に接触すること無く被検出部５５を打込機１０に設けるために、専用の要素を打込機１０に設けずに済む。したがって、打込機１０の部品点数が増加することを抑制でき、かつ、打込機１０を軽量化できる。さらに、リブ５１及び２つの膨らみ部５４，５７という３点が床５６に接触した状態で、フィーダ４４は床５６に接触しない。
【００４１】
実施の形態で説明した事項の意味を説明すると、釘４０は止具であり、上室２７及び打撃子６４は、打撃機構であり、膨らみ部５４は第１接地部であり、膨らみ部５７は第２接地部であり、リブ５１は第３接地部であり、ガイド溝３９はガイド部であり、マガジンカバー４６はカバーである。
【００４２】
打込機は実施の形態に限定されるものではなく、その要旨を逸脱しない範囲で種々変更可能であることは言うまでもない。打撃子を下死点に向けて動作させる付勢機構は、空気圧室式及び金属製のバネ式、または、打撃子を高速で回転する回転体等と接触させる方式を含む。空気圧室式は、本体部の外から圧縮空気を供給して空気圧室の圧力を上昇する第１構造と、打撃子を動作させて少なくとも一時的に密閉した空気圧室の圧力を上昇、あるいは下降させ、密閉空間の空気圧を動力とする第２構造と、可燃性ガスを空気圧室で燃焼させて空気圧室の圧力を上昇する第３構造と、を含む。実施の形態で説明した上室２７は、第１の構造である。第１の構造では、打撃後に空気圧で打撃子を上死点に復帰させ停止する構造を有している。
【００４３】
第２構造では、モータの動力で打撃子を動作させて上死点に向けて移動させ、空気圧室の圧力が上昇する。第２の構造では、ピストンとシリンダとにより、空気圧室を形成する構造のみならず、ピストンとベローズとを組み合わせることで、伸縮可能な空気圧室を形成する構造を含む。
【００４４】
第２の構造は、モータの動力でピストンを上死点に移動する動力伝達機構を有する。動力伝達機構は、ラックアンドピニオン機構、カム機構、牽引機構を含む。ラックアンドピニオン機構は、モータの回転力をピストンの直線方向の動作力に変換する。カム機構は、モータの回転力をピストンの直線方向の動作力に変換する。牽引機構は、モータの動力でワイヤーを牽引し、ワイヤーでピストンを牽引する。モータは、電動モータ、油圧モータ、空気圧モータ、内燃機関を含む。
【００４５】
第３の構造では、点火プラグにより可燃性ガスを燃焼させた結果生じる膨張圧力を利用する。
【００４６】
付勢機構として、金属製のバネを用いる場合は、圧縮バネ及び引っ張りバネを含む。付勢機構が金属製のバネである場合、ピストンをガイドする部材は、シリンダではなくガイドレールで良い。打撃機構を収容する本体部は、筒形状のハウジング及びケーシング、フレーム、を含む。マガジンは、本体部に固定されている構造と、本体部に対して着脱可能な構造と、を含む。さらに、打込機の側面視で、ハンドルの中心線と、マガジンの中心線とは、互いに平行でもよい。ガイド部は、釘を射出路に送る経路であり、ガイド部は、ガイド溝の他、レール、孔、凹部を含む。置き場所は、床の他、テーブル、地面等でもよい。第１接地部〜第３接地部のそれぞれは、膨らみ部、突起部、リブ、脚部の何れでもよい。
【符号の説明】
【００４７】
１０…打込機、３８…マガジン、３９…ガイド溝、４０…釘、４６…マガジンカバー、５１…リブ、５４，５７…膨らみ部、５５…被検出部、５９…本体部、６４…打撃子、Ａ３…中心線。
【図１】
2017213632.tif 000003
【図２】
2017213632.tif 000004
【図３】
2017213632.tif 000005